(57)【要約】【課題】スピニングリールのスプールにおいて、バックラッシュを防止しながら、キャスティング距離を伸ばす。【解決手段】スピニングリールのスプール４は、外周に釣り糸が巻き付けられる先細り形状の筒状の糸巻胴部４ａと、糸巻胴部４ａの後端部に一体成形されたスカート部４ｂと、糸巻胴部４ａの前部に装着された前フランジ部４ｃとを有している。糸巻胴部４ａは、前端部側に形成された第１糸巻部４ｄと、第１糸巻部４ｄに隣接し後端部側に形成された第２糸巻部４ｅとを有している。第１糸巻部４ｄ及び第２糸巻部４ｅは、後端部側から前端部側に縮径する順テーパになる先細り形状に形成されており、第１糸巻部４ｄのテーパ角αは第２糸巻部４ｅのテーパ角βより小さくなるように形成されている。【選択図】　　　図５
2004081193.tif 000002
【特許請求の範囲】
【請求項１】
リール本体に対して前後移動自在に設けられ、釣り糸が外周に巻き付けられるスピニングリールのスプールであって、
前記釣り糸が外周に巻き付けられ、先細り形状の複数の糸巻部を有する筒状の糸巻胴部と、
前記糸巻胴部の前端部に前記糸巻胴部の最大外径よりも大径に設けられた前フランジ部と、
前記糸巻胴部の後端部に設けられ、前記糸巻胴部の最大外径よりも大径かつ筒状のスカート部とを備え、
前記複数の糸巻部のうち隣接する２つの前記糸巻部において、前端部側の前記糸巻部のテーパ角は後端部側の前記糸巻部のテーパ角より小さい、スピニングリールのスプール。
【請求項２】
前記前端部側の前記糸巻部の前記テーパ角と前記後端部側の前記糸巻部の前記テーパ角との差は０．５度以上１０度以下の範囲である、請求項１に記載のスピニングリールのスプール。
【請求項３】
前記前端部側の前記糸巻部の前記テーパ角は０度以上５度以下の範囲である、請求項１又は２に記載のスピニングリールのスプール。
【請求項４】
前記後端部側の前記糸巻部の前記テーパ角は０．５度以上１５度以下の範囲である、請求項１から３のいずれかに記載のスピニングリールのスプール。
【請求項５】
前記前フランジ部は先広がり形状に形成されており、前記前フランジ部のテーパ角は５度以上４５度以下の範囲である、請求項１から４のいずれかに記載のスピニングリールのスプール。
【請求項６】
前記前フランジ部は隣接する２つのテーパ角が異なる複数のテーパ部を有している、請求項５に記載のスピニングリールのスプール。
【請求項７】
前記複数のテーパ部のうち隣接する２つの前記テーパ部において、前端部側の前記テーパ部のテーパ角は後端部側の前記テーパ部のテーパ角より小さい、請求項６に記載のスピニングリールのスプール。
【請求項８】
前記前端部側の前記テーパ部の前記テーパ角と前記後端部側の前記テーパ部の前記テーパ角との差は５度以上４５度以下の範囲である、請求項７に記載のスピニングリールのスプール。
【請求項９】
前記前端部側の前記テーパ部の前記テーパ角は０度以上４０度以下の範囲である、請求項７又は８に記載のスピニングリールのスプール。
【請求項１０】
前記後端部側の前記テーパ部の前記テーパ角は５度以上４５度以下の範囲である、請求項７から９のいずれかに記載のスピニングリールのスプール。
【発明の詳細な説明】
【０００１】
【発明の属する技術分野】
本発明は、スプール、特に、リール本体に対して前後移動自在に設けられ、釣り糸が外周に巻き付けられるスピニングリールのスプールに関する。
【０００２】
【従来の技術】
一般に、スピニングリールは、リール本体と、リール本体に回転自在に支持されたロータと、ロータの前方に配置され外周に釣り糸が巻き付けられるスプールとを備えている。
このようなスプールは、外周に釣り糸が巻き付けられる糸巻胴部と、糸巻胴部の前端部に糸巻胴部の最大外径よりも大径に設けられた前フランジ部と、糸巻胴部の後端部に糸巻胴部の最大外径よりも大径かつ筒状に設けられたスカート部とを有している。糸巻胴部及びスカート部は大小２つの筒状部材であって、たとえば合成樹脂や金属により一体成形されている。
【０００３】
【発明が解決しようとする課題】
従来のスピニングリールのスプールでは、仕掛けのキャスティング距離を伸ばすため、糸巻胴部を先細り形状に形成したものが知られている。このような先細り形状の糸巻胴部では、釣り糸がまとまって前方に落ちる、いわゆるバックラッシュを起こしやすい。そこで、前フランジ部を先広がり形状に形成し、そのテーパ角を大きくすることが考えられる。前フランジ部のテーパ角を大きくすることにより、釣り糸が前方に落ちるのを防ぐことができる。
【０００４】
しかし、前フランジ部のテーパ角を大きく形成すると、キャスティング時の釣り糸が前フランジ部に接触する抵抗が増大し、キャスティング距離を低下させるおそれが生じる。
本発明の課題は、スピニングリールのスプールにおいて、バックラッシュを防止しながら、キャスティング距離を伸ばすことにある。
【０００５】
【課題を解決するための手段】
発明１に係るスピニングリールのスプールは、リール本体に対して前後移動自在に設けられ、釣り糸が外周に巻き付けられるスピニングリールのスプールであって、釣り糸が外周に巻き付けられ先細り形状の複数の糸巻部を有する筒状の糸巻胴部と、糸巻胴部の前端部に糸巻胴部の最大外径よりも大径に設けられた前フランジ部と、糸巻胴部の後端部に設けられ糸巻胴部の最大外径よりも大径かつ筒状のスカート部とを備えている。複数の糸巻部のうち隣接する２つの糸巻部において、前端部側の糸巻部のテーパ角は後端部側の糸巻部のテーパ角より小さい。
【０００６】
このスプールでは、糸巻胴部は、テーパ角の異なる複数の糸巻部を有する先細り形状、すなわち後端部側から前端部側に縮径する順テーパになるように形成されている。このため、仕掛けのキャスティング距離を伸ばすことができる。さらに、これらの糸巻部のうち隣接する２つの糸巻部において、前端部側の糸巻部のテーパ角は後端部側の糸巻部のテーパ角より小さい、いわゆる緩テーパになるように形成されている。このため、後端部側の糸巻部に巻かれた釣り糸は、緩テーパの前端部側の糸巻部に巻かれた釣り糸によって、前方への移動が規制されるので、前方への糸落ちであるバックラッシュを防止できる。したがって、従来のように前フランジ部のテーパ角を大きく形成する必要がないので、バックラッシュを防止しながら、キャスティング距離を伸ばすことができる。
【０００７】
発明２に係るスプールは、発明１のスプールにおいて、前端部側の糸巻部のテーパ角と後端部側の糸巻部のテーパ角との差は０．５度以上１０度以下の範囲である。この場合、前端部側の糸巻部と後端部側の糸巻部とのテーパ角の差を０．５度以上１０度以下の範囲にすることにより、前端部側の糸巻部と後端部側の糸巻部との間に適度な段差が生成されるので、バックラッシュを確実に防止できる。
【０００８】
発明３に係るスプールは、発明１又は２のスプールにおいて、前端部側の糸巻部のテーパ角は０度以上５度以下の範囲である。この場合、前端部側の糸巻部のテーパ角を０度以上５度以下の範囲にすることにより、前端部側の糸巻部が緩テーパになるので、バックラッシュを防止できる。
発明４に係るスプールは、発明１から３のいずれかのスプールにおいて、後端部側の糸巻部のテーパ角は０．５度以上１５度以下の範囲である。この場合、後端部側の糸巻部のテーパ角を０．５度以上１５度以下の範囲にすることにより、後端部側の糸巻部が急テーパにすることができるので、キャスティング距離を伸ばすことができる。
【０００９】
発明５に係るスプールは、発明１から４のいずれかのスプールにおいて、前フランジ部は先広がり形状に形成されており、前フランジ部のテーパ角は５度以上４５度以下の範囲である。この場合、前フランジ部のテーパ角を５度以上４５度以下の範囲となるように小さくすることにより、キャスティング時の釣り糸が前フランジ部に接触する抵抗を減少でき、キャスティング距離をさらに伸ばすことができる。
【００１０】
発明６に係るスプールは、発明５のスプールにおいて、前フランジ部は隣接する２つのテーパ角が異なる複数のテーパ部を有している。この場合、キャスティング時の釣り糸が前フランジ部に接触する抵抗を細かく調整できるので、キャスティング距離をさらに伸ばすことができる。
発明７に係るスプールは、発明６のスプールにおいて、複数のテーパ部のうち隣接する２つのテーパ部において、前端部側のテーパ部のテーパ角は後端部側のテーパ部のテーパ角より小さい。この場合、前端部側のテーパ部は後端部側のテーパ部より緩テーパであるので、キャスティング当初の初速を損なうことなくキャスティング距離を伸ばすことができる。また、後端部側のテーパ部は前端部側のテーパ部より急テーパであるので、特にキャスティング後半の釣り糸に張力が作用しにくいときには、前方への糸落ちであるバックラッシュを防止できる。
【００１１】
発明８に係るスプールは、発明７のスプールにおいて、前端部側のテーパ部のテーパ角と後端部側のテーパ部のテーパ角との差は５度以上４５度以下範囲である。この場合、前端部側のテーパ部のテーパ角と後端部側のテーパ部のテーパ角との差を細かく調整することにより、キャスティング距離をより的確に伸ばすことができる。
【００１２】
発明９に係るスプールは、発明７又は８のスプールにおいて、前端部側のテーパ部のテーパ角は０度以上４０度以下の範囲である。この場合、前端部側のテーパ部はテーパ角が０度以上４０度以下の範囲の緩テーパであるので、キャスティング距離を伸ばすことができる。
発明１０に係るスプールは、発明７から９のいずれかのスプールにおいて、後端部側のテーパ部のテーパ角は５度以上４５度以下の範囲である。この場合、たとえば後端部側のテーパ部を急テーパに形成し、前端部側のテーパ部を緩テーパに形成することにより、キャスティング距離を伸ばすことができる。
【００１３】
【発明の実施の形態】
〔第１実施形態〕
本発明の第１実施形態を採用したスピニングリールは、図１から図３に示すように、主に投げ釣り用のスピニングリールであって、ハンドル１を回転自在に支持するリール本体２と、ロータ３と、スプール４とを備えている。ロータ３は、リール本体２の前部に回転自在に支持されている。スプール４は釣り糸をその外周面に巻き取るものであり、ロータ３の前部に前後移動可能に配置されている。
【００１４】
リール本体２は、ロータ３やスプール４を支持するリールボディ１０と、リールボディ１０の両側面に着脱自在にねじ止めされた１対の蓋部材１１ａ、１１ｂと、リールボディ１０から上方に延びる竿取付脚部１２とを有している。リールボディ１０はたとえばアルミニウム合金製の部材であり、両側に開口部１０ａ、１０ｂを有している。リールボディ１０の内部には、ロータ３を回転させるためのロータ駆動機構５と、スプール４を前後移動させて均一に釣り糸を巻き取るためのレベルワインド機構６とが設けられている。
【００１５】
蓋部材１１ａ、１１ｂは、図３に示すように、たとえばアルミニウム合金製の部材であり、リールボディ１０の開口部１０ａ、１０ｂのそれぞれをカバーする。一方の蓋部材１１ａには、ハンドル１が先端に固定されたハンドル軸７を支持する側方に突出する筒状のハンドル支持部８が設けられている。ハンドル支持部８の両端には軸受９が配置されており、軸受９によりハンドル軸７はハンドル支持部８に回転自在に支持されている。
【００１６】
竿取付脚部１２は、図１及び図２に示すように、リールボディ１０から上方に斜め前方に延びる部材であり、リールボディ１０と一体で略Ｔ字型に形成されている。
ロータ駆動機構５は、図１に示すように、ハンドル軸７の基端にハンドル軸７と一体で形成されたマスターギア１３と、マスターギア１３に噛み合うピニオンギア１４とを有している。ピニオンギア１４は筒状に形成されており、ピニオンギア１４の前部はロータ３の中心部を貫通してスプール４側に延びている。そして、その先端にはねじ部が形成されている。ピニオンギア１４は、その軸方向の中間部と後端部とが、それぞれ軸受１５、１６を介してリール本体２に回転自在に支持されている。
【００１７】
レベルワインド機構６は、図１に示すように、スプール４の中心部を先端で固定したスプール軸２０を前後方向に往復移動させてスプール４を同方向に移動させるための機構である。レベルワインド機構６は、スプール軸２０の上方に配置された螺軸２１と、螺軸２１に沿って前後方向に移動するスライダ２２と、螺軸２１の先端に固定された中間ギア２３とを有している。螺軸２１は、スプール軸２０と平行に配置されており、先端部がロータ３の内部でリールボディ１０に回転自在に支持されている。また、螺軸２１の外周部には螺旋状の溝２１ａが形成されており、後端には平坦部２０ａが形成されている。スライダ２２にはスプール軸２０の後端が軸方向移動不能及び回転不能に固定されている。スライダ２２は、螺軸２１の上方及び下方に平行に配置されたガイド軸２４ａ、２４ｂにより軸方向に案内される。中間ギア２３は、螺軸２１の先端部に固定されており、ピニオンギア１４に噛み合っている。
【００１８】
ロータ３は、図１及び図４に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは一体成形されている。円筒部３０の前部には前壁３３が形成されており、前壁３３の中央部にはボス３３ａが形成されている。このボス３３ａの貫通孔をピニオンギア１４の前部及びスプール軸２０が貫通している。前壁３３の前方側にはナット３４が配置されており、このナット３４がピニオンギア１４の先端のねじ部に螺合している。ナット３４の内周部には、ナット３４をスプール軸２０に対して回転自在に支持するための軸受３５が配置されている。
【００１９】
また、円筒部３０の内部にはロータ３の逆転防止機構３７が配置されている。逆転防止機構３７は、図示しないローラ型のワンウェイクラッチと、ワンウェイクラッチを作動状態及び非作動状態に切り換える操作機構３８とを有している。ワンウェイクラッチは、外輪がリールボディ１０に固定され、内輪がピニオンギア１４に固定されている。操作機構３８は、リールボディ１０の下部に配置された操作レバー３９を有しており、操作レバー３９を揺動させることでワンウェイクラッチが２つの状態に切り換られ、作動状態のときにロータ３が逆転不能になり、非作動状態のときロータ３が逆転可能になる。
【００２０】
第１ロータアーム３１及び第２ロータアーム３２の先端の内周側には、図１から図３に示すように、第１ベール支持部材４０及び第２ベール支持部材４１がそれぞれ揺動自在に装着されている。第１ベール支持部材４０は第１ロータアーム３１に回転自在に支持されている。第１ベール支持部材４０及び第２ベール支持部材４１の先端には、釣り糸をスプール４に案内するために釣り糸案内機構４２が装着されている。
【００２１】
釣り糸案内機構４２は、図１から図３に示すように、第１ベール支持部材４０に一端が固定された図示しない固定軸と、固定軸と一体で形成された固定軸カバー４４と、概略筒状のラインローラ４５と、ベール４６とを有している。ベール４６は、第２ベール支持部材４１と固定軸カバー４４とに両端が固定され、スプール４の周方向外方に湾曲して配置され、釣り糸を固定軸カバー４４を介してラインローラ４５に導く。
【００２２】
スプール４は、図１から図３に示すように、ロータ３の第１ロータアーム３１と第２ロータアーム３２との間に配置されており、スプール軸２０の先端に固定されている。スプール４は、図４に拡大して示すように、アルミニウム合金等の軽量金属製であり、外周に釣り糸が巻き付けられる先細り形状の筒状の糸巻胴部４ａと、糸巻胴部４ａの後端部に糸巻胴部の最大外径よりも大径かつ筒状に一体成形されたスカート部４ｂと、糸巻胴部４ａの前部に装着され糸巻胴部の最大外径よりも大径かつ先広がり形状の前フランジ部４ｃとを有している。また、糸巻胴部４ａの先端部には、円板状の前壁部５１が一体で形成されており、その中心部にはスプール軸２０にピン５３により固定されたボス部５２が形成されている。
【００２３】
糸巻胴部４ａは、図５に拡大して示すように、前端部側に形成された第１糸巻部４ｄと、第１糸巻部４ｄに隣接し後端部側に形成された第２糸巻部４ｅとを有している。第１糸巻部４ｄ及び第２糸巻部４ｅは、後端部側から前端部側に縮径する順テーパになる先細り形状に形成されており、第１糸巻部４ｄのテーパ角αは第２糸巻部４ｅのテーパ角βより小さくなるように形成されている。第１糸巻部４ｄのテーパ角αは、０度以上５度以下の範囲であって、図５に示すテーパ角αは０度になっている。第２糸巻部４ｅのテーパ角βは、０．５度以上１５度以下の範囲であって、図５に示すテーパ角βは１５度になっている。したがって、テーパ角αとテーパ角βとの差は０．５度以上１０度以下の範囲になっており、図５に示すテーパ角αとテーパ角βとの差は１５度になっている。ここでは、第１糸巻部４ｄが緩いテーパであるのに対し、第２糸巻部４ｅは第１糸巻部４ｄより急なテーパになっている。
【００２４】
スカート部４ｂは、図４及び図５に示すように、糸巻胴部４ａの後端部に糸巻胴部の最大外径よりも大径かつ筒状に一体成形された円筒状部材である。
前フランジ部４ｃは、図４に示すように、糸巻胴部４ａの前部に装着され、糸巻胴部の最大外径よりも大径かつ先広がり形状の環状部材である。前フランジ部４ｃのテーパ角δは、図５に拡大して示すように、５度以上４５度以下の範囲であって、図５に示すテーパ角δは４０度と小さくなっている。
【００２５】
このスピニングリールでは、糸巻胴部４ａは、後端部側から前端部側に縮径する順テーパになる先細り形状に形成されているので、キャスティング距離を伸ばすことができる。さらに、第１糸巻部４ｄのテーパ角αは第２糸巻部４ｅのテーパ角βより小さくなるように形成されているので、第２糸巻部４ｅに巻かれた釣り糸は、緩テーパの第１糸巻部４ｄに巻かれた釣り糸によって、前方への移動が規制されるので、前方への糸落ちであるバックラッシュを防止できる。また、前フランジ部４ｃのテーパ角δを小さく形成できるので、キャスティング時の釣り糸が前フランジ部４ｃに接触する抵抗を減少でき、バックラッシュを防止しながら、キャスティング距離を伸ばすことができる。
【００２６】
〔第２実施形態〕
本発明の第２実施形態を採用したスピニングリールは、スプール４の前フランジ部４ｃを除く構成は前記第１実施形態と同様であるので、詳細な説明は省略する。
前フランジ部４ｃは、図７に拡大して示すように、糸巻胴部４ａの前部に装着され、糸巻胴部の最大外径よりも大径かつ先広がり形状の環状部材である。前フランジ部４ｃは、前端部側に形成された第１テーパ部４ｇと、第１テーパ部４ｇに隣接し後端部側に形成された第２テーパ部４ｈと、第２テーパ部４ｈに隣接し後端部側に形成された第３テーパ部４ｉとを有している。
【００２７】
第１テーパ部４ｇのテーパ角δ１は、第２テーパ部４ｈのテーパ角δ２より小さくなるように形成され、第２テーパ部４ｈのテーパ角δ２は、第３テーパ部４ｉのテーパ角δ３より小さくなるように形成されている。第１テーパ部４ｇのテーパ角δ１は、０度以上４０度以下の範囲であって、図７に示すテーパ角αは０度になっている。第２テーパ部４ｈのテーパ角δ２は、５度以上４０度以下の範囲であって、図７に示すテーパ角δ２は３０度になっている。したがって、テーパ角δ１とテーパ角δ２との差は、５度以上４５度以下の範囲になっており、図７に示すテーパ角δ１とテーパ角δ２との差は３０度になっている。また、第３テーパ部４ｉのテーパ角δ３は、５度以上４５度以下の範囲であって、図７に示すテーパ角δ３は４５度になっている。したがって、テーパ角δ２とテーパ角δ３との差は、５度以上４５度以下の範囲になっており、図７に示すテーパ角δ２とテーパ角δ３との差は１５度になっている。
【００２８】
このスピニングリールでは、キャスティング時の釣り糸が前フランジ部４ｃに接触する抵抗を細かく調整できるので、キャスティング距離をさらに伸ばすことができる。
〔他の実施形態〕
（ａ）　前記実施形態では、投げ釣り用のスピニングリールを例にあげて説明したが、このスピニングリールの形式に限定されるものではなく、この他にドラグ機構を有するスピニングリールや、ロータ制動機構を有するスピニングリール等にも本発明を適用できる。
【００２９】
（ｂ）　前記実施形態では、第１糸巻部４ｄのテーパ角αは０度、第２糸巻部４ｅのテーパ角βは１５度になるように形成されていたが、これに限定されるものではなく、テーパ角α及びテーパ角βはテーパ角αがテーパ角βより小さい範囲で任意に設定できる。
（ｃ）　前記実施形態では、第１糸巻部４ｄ及び第２糸巻部４ｅを設けていたが、図６に示すように、第１糸巻部４ｄ、第２糸巻部４ｅ及び第３糸巻部４ｆを設けてもよい。
【００３０】
隣接する第１糸巻部４ｄ及び第２糸巻部４ｅにおいて、第１糸巻部４ｄのテーパ角αは第２糸巻部４ｅのテーパ角βより小さくなるように形成されている。第１糸巻部４ｄのテーパ角αは、０度以上５度以下の範囲であって、図６に示すテーパ角αは０度になっている。第２糸巻部４ｅのテーパ角βは、０．５度以上１５度以下の範囲であって、図６に示すテーパ角βは１０度になっている。したがって、テーパ角αとテーパ角βとの差は０．５度以上１０度以下の範囲になっており、図６に示すテーパ角αとテーパ角βとの差は１０度になっている。
【００３１】
隣接する第２糸巻部４ｅ及び第３糸巻部４ｆにおいて、第２糸巻部４ｅのテーパ角βは第３糸巻部４ｆのテーパ角γより小さくなるように形成されている。第３糸巻部４ｆのテーパ角γは、０．５度以上１５度以下の範囲であって、図６に示すテーパ角γは１５度になっている。したがって、テーパ角βとテーパ角γとの差は０．５度以上１０度以下の範囲になっており、図６に示すテーパ角βとテーパ角γとの差は５度になっている。
【００３２】
ここでは、前記実施形態と同様に、第１糸巻部４ｄのテーパ角αは第２糸巻部４ｅのテーパ角βより小さくなるように、かつ第２糸巻部４ｅのテーパ角βは第３糸巻部４ｆのテーパ角γより小さくなるように形成されているので、バックラッシュを防止しながら、キャスティング距離を伸ばすことができる。
（ｄ）　前記実施形態では、第１テーパ部４ｇのテーパ角δ１は０度、第２テーパ部４ｈのテーパ角δ２は３０度、第３テーパ部４ｉのテーパ角δ３は４５度になるように形成されていたが、これに限定されるものではなく、テーパ角δ１、テーパ角δ２及びテーパ角δ３は任意に設定できる。
【００３３】
（ｅ）　前記実施形態では、前フランジ部４ｃは、３つの第１テーパ部４ｇ、第２テーパ部４ｈ及び第３テーパ部４ｉを有していたが、任意の数のテーパ部を有していてもよい。
【００３４】
【発明の効果】
本発明によれば、スピニングリールのスプールにおいて、糸巻胴部は、テーパ角の異なる複数の糸巻部を有する先細り形状に形成され、これらの糸巻部のうち隣接する２つの糸巻部において前端部側の糸巻部のテーパ角は後端部側の糸巻部のテーパ角より小さくになるように形成されているので、バックラッシュを防止しながら、キャスティング距離を伸ばすことができる。
【図面の簡単な説明】
【図１】本発明の第１実施形態を採用したスピニングリールの断面側面図。
【図２】前記スピニングリールの正面図。
【図３】前記スピニングリールの平面断面図。
【図４】スプール及びロータの断面拡大図。
【図５】前記スプールの寸法関係を示す図。
【図６】他の実施形態の図５に相当する図。
【図７】本発明の第２実施形態を採用した前フランジ部の寸法関係を示す図。
【符号の説明】
２　リール本体
４　スプール
４ａ　糸巻胴部
４ｂ　スカート部
４ｃ　前フランジ部
４ｄ　第１糸巻部
４ｅ　第２糸巻部
４ｆ　第３糸巻部
４ｇ　第１テーパ部
４ｈ　第２テーパ部
４ｉ　第３テーパ部
【図１】
2004081193.tif 000003
【図２】
2004081193.tif 000004
【図３】
2004081193.tif 000005
【図４】
2004081193.tif 000006
【図５】
2004081193.tif 000007
【図６】
2004081193.tif 000008
【図７】
2004081193.tif 000009